(57)【要約】【課題】記録型ＭＤＴにおいてネットワークが重要な測定ログを収集し易くすることができる無線測定収集方法を提供する。【解決手段】Ｅ−ＵＴＲＡＮは、測定期間を含む測定パラメータを設定するIdleMDTConfigurationメッセージを無線端末ＵＥに送信する。無線端末ＵＥは、アイドル状態であって、且つ測定設定メッセージにより設定された測定期間において、IdleMDTConfigurationメッセージに従って無線環境の測定を行うとともに、測定の結果を含む測定ログを記録する。Ｅ−ＵＴＲＡＮは、測定期間が満了してから所定の保持時間が経過した後においても無線端末ＵＥが測定ログを保持すべき旨の保持指示情報をIdleMDTConfigurationメッセージに含めて送信可能である。無線端末ＵＥは、保持指示情報を含む測定設定メッセージを受信した場合に、測定期間が満了してから所定の保持時間が経過した後においても、Ｅ−ＵＴＲＡＮに未報告の測定ログを保持する。【選択図】図４
2012044270.tif 000002
【特許請求の範囲】
【請求項１】
無線基地局を含んで構成されるネットワークが、測定期間を含む測定パラメータを設定する測定設定メッセージを無線端末に送信するステップと、
前記無線端末が、アイドル状態であって、且つ前記測定設定メッセージにより設定された前記測定期間において、前記測定設定メッセージに従って無線環境の測定を行うとともに、前記測定の結果を含む測定ログを記録するステップと、
前記無線端末が、前記測定設定メッセージにより指定された前記測定期間が満了してから所定の保持時間が経過するまで、前記ネットワークに未報告の前記測定ログを保持するステップとを備え、
前記送信するステップでは、前記無線端末による前記測定ログの削除を規制するための情報を前記測定設定メッセージに含めて送信可能であり、
前記保持するステップでは、前記測定ログの削除を規制するための情報を含む前記測定設定メッセージを前記無線端末が受信したことに応じて、前記測定期間が満了してから前記所定の保持時間が経過した後においても、前記ネットワークに未報告の前記測定ログを保持する無線測定収集方法。
【請求項２】
前記測定設定メッセージを送信するステップでは、前記測定パラメータに応じて定められる、前記測定ログの重要度に基づいて、前記測定ログの削除を規制するための情報を前記測定設定メッセージに含めて送信する請求項１に記載の無線測定収集方法。
【請求項３】
前記測定ログの削除を規制するための情報は、前記測定期間が満了してから前記所定の保持時間が経過した後においても前記無線端末が前記測定ログを保持すべき旨の保持指示情報であり、
前記保持するステップでは、前記保持指示情報を含む前記測定設定メッセージを前記無線端末が受信した場合に、前記測定期間が満了してから前記所定の保持時間が経過した後においても、前記ネットワークに未報告の前記測定ログを保持する請求項１又は２に記載の無線測定収集方法。
【請求項４】
前記測定ログの削除を規制するための情報は、前記無線端末が保持すべき測定ログの条件を示す保持条件情報であり、
前記保持するステップでは、前記保持条件情報が示す条件に合致する測定ログを、前記測定期間が満了してから前記所定の保持時間が経過した後においても保持する請求項１又は２に記載の無線測定収集方法。
【請求項５】
無線基地局を含んで構成されるネットワークから、測定期間を含む測定パラメータを設定する測定設定メッセージを受信する受信部と、
アイドル状態であって、且つ前記測定設定メッセージにより設定された前記測定期間において、前記測定設定メッセージに従って無線環境の測定を行うとともに、前記測定の結果を含む測定ログを記録する測定処理部と、
前記測定設定メッセージにより指定された前記測定期間が満了してから所定の保持時間が経過するまで、前記ネットワークに未報告の前記測定ログを保持する保持部とを備え、
前記保持部は、前記測定ログの削除を規制するための情報を含む前記測定設定メッセージを前記受信部が受信したことに応じて、前記測定期間が満了してから前記所定の保持時間が経過した後においても、前記ネットワークに未報告の前記測定ログを保持する無線端末。
【請求項６】
アイドル状態において無線環境の測定を行うとともに前記測定の結果を含む測定ログを記録するように構成された無線端末との無線通信を行う無線基地局であって、
測定期間を含む測定パラメータを設定する測定設定メッセージを前記無線端末に送信する送信部を備え、
前記無線基地局を含むネットワークに未報告の前記測定ログは、前記測定期間が満了してから所定の保持時間が経過するまで前記無線端末において保持され、
前記送信部は、前記測定ログの削除を規制するための情報を前記測定設定メッセージに含めて送信可能である無線基地局。
【請求項７】
無線基地局を含んで構成されるネットワークが、測定パラメータを設定する測定設定メッセージを無線端末に送信するステップと、
前記無線端末が、アイドル状態において、前記ネットワークから受信した前記測定設定メッセージに従って無線環境の測定を行うとともに、前記測定の結果を含む測定ログを記録するステップと、
前記無線端末が、前記アイドル状態から接続状態に移行する際に、前記測定ログの重要度を示す重要度情報を前記ネットワークに送信するステップと、
前記ネットワークが、前記無線端末から受信した前記重要度情報に応じて、前記測定ログの報告を要求する要求メッセージを前記無線端末に送信するステップと
を備える無線測定収集方法。
【請求項８】
前記無線端末が、前記アイドル状態から前記接続状態に移行する際に、前記重要度情報を生成するステップをさらに備え、
前記生成するステップでは、前記無線端末が最後に測定を行ったときの時刻と現時刻との間の時間差、測定期間内での前記無線端末の電源断の有無、又は前記無線端末が最後に測定を行ったときの位置と現位置との間の距離に応じて、前記重要度情報を生成する請求項７に記載の無線測定収集方法。
【請求項９】
前記無線端末が、前記測定設定メッセージにより指定された測定期間が満了してから所定の保持時間が経過するまで、前記ネットワークに未報告の前記測定ログを保持するステップと、
前記無線端末が、前記重要度情報を生成するステップと
をさらに備え、
前記測定設定メッセージを送信するステップでは、前記測定ログの削除を規制するための情報を前記測定設定メッセージに含めて送信可能であり、
前記生成するステップでは、前記無線端末が受信した前記測定設定メッセージに、前記測定ログの削除を規制するための情報が含まれるか否かに応じて、前記重要度情報を生成する請求項７に記載の無線測定収集方法。
【請求項１０】
無線基地局を含んで構成されるネットワークから、測定パラメータを設定する測定設定メッセージを受信する受信部と、
アイドル状態において、前記ネットワークから受信した前記測定設定メッセージに従って無線環境の測定を行うとともに、前記測定の結果を含む測定ログを記録する測定処理部と、
前記アイドル状態から接続状態に移行する際に、前記測定ログの重要度を示す重要度情報を前記ネットワークに送信する送信部と
を備える無線端末。
【請求項１１】
アイドル状態において無線環境の測定を行うとともに前記測定の結果を含む測定ログを記録するように構成された無線端末との無線通信を行う無線基地局であって、
前記無線端末が前記アイドル状態から接続状態に移行する際に、前記測定ログの重要度を示す重要度情報を前記無線端末から受信する受信部と、
前記受信部が受信した前記重要度情報に応じて、前記測定ログの報告を要求する要求メッセージを前記無線端末に送信する送信部と
を備える無線基地局。
【発明の詳細な説明】
【技術分野】
【０００１】
本発明は、無線環境の測定及び収集を行う無線測定収集方法、無線端末、及び無線基地局に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用して、無線環境を測定及び収集するドライブテストが行われている。
【０００３】
このような無線環境の測定及び収集は、無線基地局等のパラメータの最適化に貢献できるが、工数が多く、且つ費用が高いという課題がある。そこで、移動通信システムの標準化プロジェクトである３ＧＰＰ（3rdGeneration Partnership Project）では、ユーザが所持する無線端末を使用して、無線環境の測定及び収集を自動化する技術であるＭＤＴ（Minimization of Drive Test）の仕様策定が進められている（非特許文献１及び２参照）。
【先行技術文献】
【非特許文献】
【０００４】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【発明が解決しようとする課題】
【０００５】
ＭＤＴの一形態である記録型ＭＤＴ（Logged MDTと称される）では、以下の方法で無線環境の測定及び収集を行うことが想定されている。
【０００６】
第１に、無線基地局を含んで構成されるネットワークが、測定パラメータを設定する測定設定メッセージを無線端末に送信する。
【０００７】
第２に、無線端末が、アイドル状態（すなわち、待ち受け中の状態）において、受信した測定設定メッセージに従って無線環境の測定を行うとともに、当該測定の結果を含む測定ログを記録する。
【０００８】
第３に、無線端末が、アイドル状態から接続状態（すなわち、通信実行中の状態）に移行する際に、測定ログを保持していることを示すログ保持情報をネットワークに送信する。
【０００９】
第４に、ネットワークが、受信したログ保持情報に基づいて、測定ログの報告を要求する要求メッセージを無線端末に送信する。
【００１０】
このような記録型ＭＤＴでは、複数の無線端末が様々な条件で測定を行うことから、ネットワークにとって重要な測定ログと、そうでない測定ログとが混在すると考えられる。
【００１１】
しかしながら、上記無線測定収集方法では、測定ログは全て同様の取り扱いがなされているため、ネットワーク（すなわちオペレータ）が重要な測定ログを十分に収集することができない虞がある。
【００１２】
そこで、本発明は、記録型ＭＤＴにおいてネットワークが重要な測定ログを収集し易くすることができる無線測定収集方法、無線端末、及び無線基地局を提供することを目的とする。
【課題を解決するための手段】
【００１３】
上述した課題を解決するために、本発明は以下のような特徴を有している。まず、本発明に係る無線測定収集方法の特徴は、無線基地局（無線基地局ｅＮＢ）を含んで構成されるネットワーク（無線アクセスネットワークＥ−ＵＴＲＡＮ、保守監視装置ＯＡＭ）が、測定期間を含む測定パラメータを設定する測定設定メッセージ（IdleMDTConfigurationメッセージ）を無線端末（無線端末ＵＥ）に送信するステップと、前記無線端末が、アイドル状態であって、且つ前記測定設定メッセージにより設定された前記測定期間において、前記測定設定メッセージに従って無線環境の測定を行うとともに、前記測定の結果を含む測定ログを記録するステップと、前記無線端末が、前記測定設定メッセージにより指定された前記測定期間が満了してから所定の保持時間が経過するまで、前記ネットワークに未報告の前記測定ログを保持するステップとを備え、前記送信するステップでは、前記無線端末による前記測定ログの削除を規制するための情報を前記測定設定メッセージに含めて送信可能であり、前記保持するステップでは、前記測定ログの削除を規制するための情報を含む前記測定設定メッセージを前記無線端末が受信したことに応じて、前記測定期間が満了してから前記所定の保持時間が経過した後においても、前記ネットワークに未報告の前記測定ログを保持することを要旨とする。
【００１４】
このような特徴によれば、重要な測定ログについては、所定の保持時間が経過した後においても、無線端末において削除されずに保持されるため、記録型ＭＤＴにおいてネットワークが重要な測定ログを収集し易くすることができる。
【００１５】
本発明に係る無線測定収集方法の他の特徴は、上記の特徴に係る無線測定収集方法において、前記測定設定メッセージを送信するステップでは、前記測定パラメータに応じて定められる、前記測定ログの重要度に基づいて、前記測定ログの削除を規制するための情報を前記測定設定メッセージに含めて送信することを要旨とする。
【００１６】
本発明に係る無線測定収集方法の他の特徴は、上記の特徴に係る無線測定収集方法において、前記測定ログの削除を規制するための情報は、前記測定期間が満了してから前記所定の保持時間が経過した後においても前記無線端末が前記測定ログを保持すべき旨の保持指示情報であり、前記保持するステップでは、前記保持指示情報を含む前記測定設定メッセージを前記無線端末が受信した場合に、前記測定期間が満了してから前記所定の保持時間が経過した後においても、前記ネットワークに未報告の前記測定ログを保持することを要旨とする。
【００１７】
本発明に係る無線測定収集方法の他の特徴は、上記の特徴に係る無線測定収集方法において、前記測定ログの削除を規制するための情報は、前記無線端末が保持すべき測定ログの条件を示す保持条件情報であり、前記保持するステップでは、前記保持条件情報が示す条件に合致する測定ログを、前記測定期間が満了してから前記所定の保持時間が経過した後においても保持することを要旨とする。
【００１８】
本発明に係る無線端末の特徴は、無線基地局を含んで構成されるネットワークから、測定期間を含む測定パラメータを設定する測定設定メッセージ（IdleMDTConfigurationメッセージ）を受信する受信部（無線通信部２１０）と、アイドル状態であって、且つ前記測定設定メッセージにより設定された前記測定期間において、前記測定設定メッセージに従って無線環境の測定を行うとともに、前記測定の結果を含む測定ログを記録する測定処理部（測定処理部２６１）と、前記測定設定メッセージにより指定された前記測定期間が満了してから所定の保持時間が経過するまで、前記ネットワークに未報告の前記測定ログを保持する保持部（測定ログ管理部２６２、記憶部２５０）とを備え、前記保持部は、前記測定ログの削除を規制するための情報を含む前記測定設定メッセージを前記受信部が受信したことに応じて、前記測定期間が満了してから前記所定の保持時間が経過した後においても、前記ネットワークに未報告の前記測定ログを保持することを要旨とする。
【００１９】
本発明に係る無線基地局の特徴は、アイドル状態において無線環境の測定を行うとともに前記測定の結果を含む測定ログを記録するように構成された無線端末（無線端末ＵＥ）との無線通信を行う無線基地局（無線基地局ｅＮＢ）であって、測定期間を含む測定パラメータを設定する測定設定メッセージ（IdleMDTConfigurationメッセージ）を前記無線端末に送信する送信部（測定制御部１４１、無線通信部１１０）を備え、前記無線基地局を含むネットワークに未報告の前記測定ログは、前記測定期間が満了してから所定の保持時間が経過するまで前記無線端末において保持され、前記送信部は、前記測定ログの削除を規制するための情報を前記測定設定メッセージに含めて送信可能であることを要旨とする。
【００２０】
本発明に係る無線測定収集方法の特徴は、無線基地局（無線基地局ｅＮＢ）を含んで構成されるネットワーク（無線アクセスネットワークＥ−ＵＴＲＡＮ、保守監視装置ＯＡＭ）が、測定パラメータを設定する測定設定メッセージ（IdleMDTConfigurationメッセージ）を無線端末（無線端末ＵＥ）に送信するステップと、前記無線端末が、アイドル状態において、前記ネットワークから受信した前記測定設定メッセージに従って無線環境の測定を行うとともに、前記測定の結果を含む測定ログを記録するステップと、前記無線端末が、前記アイドル状態から接続状態に移行する際に、前記測定ログの重要度を示す重要度情報を前記ネットワークに送信するステップと、前記ネットワークが、前記無線端末から受信した前記重要度情報に応じて、前記測定ログの報告を要求する要求メッセージ（UEInformationRequestメッセージ）を前記無線端末に送信するステップとを備えることを要旨とする。
【００２１】
本発明に係る無線測定収集方法の他の特徴は、上記の特徴に係る無線測定収集方法において、前記無線端末が、前記アイドル状態から前記接続状態に移行する際に、前記重要度情報を生成するステップをさらに備え、前記生成するステップでは、前記無線端末が最後に測定を行ったときの時刻と現時刻との間の時間差、測定期間内での前記無線端末の電源断の有無、又は前記無線端末が最後に測定を行ったときの位置と現位置との間の距離に応じて、前記重要度情報を生成することを要旨とする。
【００２２】
本発明に係る無線測定収集方法の他の特徴は、上記の特徴に係る無線測定収集方法において、前記無線端末が、前記測定設定メッセージにより指定された測定期間が満了してから所定の保持時間が経過するまで、前記ネットワークに未報告の前記測定ログを保持するステップと、前記無線端末が、前記重要度情報を生成するステップとをさらに備え、前記測定設定メッセージを送信するステップでは、前記測定ログの削除を規制するための情報を前記測定設定メッセージに含めて送信可能であり、前記生成するステップでは、前記無線端末が受信した前記測定設定メッセージに、前記測定ログの削除を規制するための情報が含まれるか否かに応じて、前記重要度情報を生成することを要旨とする。
【００２３】
本発明に係る無線端末の特徴は、無線基地局を含んで構成されるネットワークから、測定パラメータを設定する測定設定メッセージ（IdleMDTConfigurationメッセージ）を受信する受信部（無線通信部２１０）と、アイドル状態において、前記ネットワークから受信した前記測定設定メッセージに従って無線環境の測定を行うとともに、前記測定の結果を含む測定ログを記録する測定処理部（測定処理部２６１）と、前記アイドル状態から接続状態に移行する際に、前記測定ログの重要度を示す重要度情報を前記ネットワークに送信する送信部とを備えることを要旨とする。
【００２４】
本発明に係る無線基地局の特徴は、アイドル状態において無線環境の測定を行うとともに前記測定の結果を含む測定ログを記録するように構成された無線端末（無線端末ＵＥ）との無線通信を行う無線基地局（無線基地局ｅＮＢ）であって、前記無線端末が前記アイドル状態から接続状態に移行する際に、前記測定ログの重要度を示す重要度情報を前記無線端末から受信する受信部（無線通信部１１０）と、前記受信部が受信した前記重要度情報に応じて、前記測定ログの報告を要求する要求メッセージ（UEInformationRequestメッセージ）を前記無線端末に送信する送信部（収集制御部１４２、無線通信部１１０）とを備えることを要旨とする。
【発明の効果】
【００２５】
本発明によれば、記録型ＭＤＴにおいてネットワークが重要な測定ログを収集し易くすることができる無線測定収集方法、無線端末、及び無線基地局を提供できる。
【図面の簡単な説明】
【００２６】
【図１】第１実施形態〜第３実施形態に係る移動通信システムの全体概略構成を示す図である。
【図２】第１実施形態に係る無線基地局の構成を示すブロック図である。
【図３】第１実施形態に係る無線端末の構成を示すブロック図である。
【図４】第１実施形態に係る無線測定収集方法を示すシーケンス図である。
【図５】第２実施形態に係る無線端末ＵＥの構成を示すブロック図である。
【図６】第２実施形態に係る無線測定収集方法を示すシーケンス図である。
【図７】第３実施形態に係る無線測定収集方法を示すシーケンス図である。
【発明を実施するための形態】
【００２７】
図面を参照して、本発明の第１実施形態〜第３実施形態、及びその他の実施形態を説明する。以下の各実施形態における図面において、同一又は類似の部分には同一又は類似の符号を付している。
【００２８】
（１）第１実施形態
第１実施形態では、（１．１）移動通信システムの概要、（１．２）無線基地局の構成、（１．３）無線端末の構成、（１．４）無線測定収集方法、（１．５）第１実施形態の効果、（１．６）第１実施形態の応用例について説明する。
【００２９】
（１．１）移動通信システムの概要
図１は、第１実施形態に係る移動通信システム１の全体概略構成を示す図である。移動通信システム１は、３ＧＰＰで仕様が策定されているＬＴＥ（Long Term Evolution）−Ａｄｖａｎｃｅｄ（Rel-10 UMTSとも称される）に基づいて構成される。
【００３０】
図１に示すように、移動通信システム１は、無線端末ＵＥ（User Equipment）、複数の無線基地局ｅＮＢ（evolved Node-B）、保守監視装置ＯＡＭ（Operation and Maintenance）、及び複数の移動管理装置ＭＭＥ（Mobility Management Entity）／ゲートウェイ装置Ｓ−ＧＷ（Serving Gateway）を有する。
【００３１】
複数の無線基地局ｅＮＢ＃１〜ｅＮＢ＃３は、無線アクセスネットワークＥ−ＵＴＲＡＮ（Evolved-UMTS Terrestrial Radio Access  Network）を構成する。複数の無線基地局ｅＮＢのそれぞれは、無線端末ＵＥにサービスを提供すべき通信エリアであるセルを形成する。無線端末ＵＥは、ユーザが所持する無線通信装置であり、ユーザ装置とも称される。
【００３２】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。また、各無線基地局ｅＮＢは、オペレータによって運営される保守監視装置ＯＡＭと通信可能である。なお、以下においては、無線アクセスネットワークＥ−ＵＴＲＡＮと保守監視装置ＯＡＭとを併せて適宜「ネットワーク」と称する。
【００３３】
移動通信システム１は、記録型ＭＤＴ（Logged MDTと称される）をサポートする。記録型ＭＤＴとは、アイドル状態の無線端末ＵＥが、設定された条件を満たすときに測定を行い、測定結果を含む測定ログを後でネットワークに報告するために保持するものである。記録型ＭＤＴでは、以下の方法で無線環境の測定及び収集を行う。
【００３４】
第１に、ネットワークが、測定パラメータを設定する測定設定メッセージであるIdleMDTConfigurationメッセージを無線端末ＵＥに送信する。測定パラメータは、測定対象（measurements to be logged）、測定トリガ（triggering of logging event）、測定時間（total duration of logging）、タイムスタンプ（network absolute time stamp）、及び測定エリア（measurements area）を含む。ただし、測定エリア（measurements area）は、測定パラメータに含まれなくてもよい。なお、測定パラメータは、測定コンフィグレーション又はＭＤＴコンフィグレーションと称されることがある。
【００３５】
第２に、無線端末ＵＥが、アイドル状態、且つ測定期間において、IdleMDTConfigurationメッセージに従って無線環境の測定を行うとともに、当該測定の結果を含む測定ログを記録する。具体的には、無線端末ＵＥは、IdleMDTConfigurationメッセージによる測定パラメータの設定時に測定期間のタイマ（duration timer）を起動し、当該タイマが満了すると測定ログの記録を終了する。なお、無線環境とは、参照信号の受信電力（ＲＳＲＰ）や参照信号の受信品質（ＲＳＲＱ）である。また、測定ログは、無線環境の測定結果に加え、位置情報やタイムスタンプを含んでもよい。位置情報とは、サービングセルのＥＣＧＩ情報、ＧＮＳＳ（ＧＰＳ）情報、又はＲＦフィンガープリントである。
【００３６】
第３に、無線端末ＵＥが、アイドル状態（RRC Idle state）から接続状態（RRC Connected state）に移行する際に、測定ログを保持していることを示すログ保持情報をネットワークに送信する。具体的には、無線端末ＵＥは、接続状態の確立が完了したことを示すRRCConnectionSetupCompleteメッセージにログ保持情報を含めてネットワークに送信する。
【００３７】
第４に、ネットワークが、受信したログ保持情報に基づいて、測定ログの報告を要求する要求メッセージであるUEInformationRequestメッセージを無線端末ＵＥに送信する。無線端末ＵＥは、UEInformationRequestメッセージを受信すると、保持している測定ログを含むUEInformationResponseメッセージをネットワークに送信する。
【００３８】
このような記録型ＭＤＴでは、無線端末ＵＥは、測定期間のタイマが満了してから４８時間（所定の保持時間）が経過するまでは、測定ログを保持しなければならない。言い換えると、無線端末ＵＥは、測定期間のタイマが満了してから４８時間を経過した後は、測定ログを保持する必要が無く、測定ログを削除可能である。
【００３９】
しかし、例えば特定の条件（エナジーセービングを行っているエリア及び時間や、新しく基地局を増設しようとしているエリア）での測定を行うように設定された無線端末ＵＥの測定ログについては、重要度が高いため、当該測定ログを削除せずに保持しておき、ネットワークへ報告することが望ましい。
【００４０】
また、測定ログを削除してしまう無線端末ＵＥが数多くいると、十分な量の測定ログが収集できず、最適化が必要なエリアを特定できる可能性が低くなったり、正しい最適化が行われなくなったりする可能性が高まる。不適切なパラメータが設定されているネットワーク環境はユーザーの不満を引き起こす。
【００４１】
このような状況は、特にRel-10 UMTS/LTEのサービス開始時など、ＭＤＴをサポートしていない他のＲＡＴ（GSM、CDMA2000、Rel-10以前のUMTS/LTE）に４８時間以上滞在する可能性が高い場合に起こりやすいと考えられる。勿論、Rel-10 UMTS/LTEの無線基地局ｅＮＢが少なく、且つその基地局の無線環境が劣悪であるという理由で、多くの無線端末ＵＥの測定ログが収集できないケースも想定される。
【００４２】
そこで、第１実施形態では、測定期間のタイマが満了してから４８時間を経過した後においても、ネットワークにとって重要な測定ログについては削除せずに保持しておくように、ネットワークから無線端末ＵＥに指示可能な構成とし、重要な測定ログを収集し易くすることができる。
【００４３】
（１．２）無線基地局の構成
図２は、第１実施形態に係る無線基地局ｅＮＢの構成を示すブロック図である。
【００４４】
図２に示すように、無線基地局ｅＮＢは、アンテナ１０１、無線通信部１１０、ネットワーク通信部１２０、記憶部１３０、及び制御部１４０を有する。
【００４５】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他の無線基地局ｅＮＢ等）との通信を行う。記憶部１３０は、例えばメモリを用いて構成され、無線基地局ｅＮＢの制御等に用いられる各種の情報を記憶する。制御部１４０は、例えばＣＰＵを用いて構成され、無線基地局ｅＮＢが備える各種の機能を制御する。
【００４６】
制御部１４０は、測定制御部１４１及び収集制御部１４２を有する。
【００４７】
測定制御部１４１は、測定パラメータを設定するIdleMDTConfigurationメッセージを生成する。そして、測定制御部１４１は、当該IdleMDTConfigurationメッセージを無線端末ＵＥに送信するよう無線通信部１１０を制御する。第１実施形態において測定制御部１４１及び無線通信部１１０は、IdleMDTConfigurationメッセージ（測定設定メッセージ）を送信する送信部を構成する。
【００４８】
さらに、測定制御部１４１は、測定期間が満了してから所定の保持時間が経過した後においても測定ログを保持すべき旨の保持指示情報をIdleMDTConfigurationメッセージに含めて送信するよう制御する。具体的には、測定制御部１４１は、測定パラメータに応じて定められる、測定ログの重要度に基づいて、保持指示情報をIdleMDTConfigurationメッセージに含めるか否かを決定する。
【００４９】
例えば、測定制御部１４１は、特定のエリア及び／又は時間で測定を行うように構成された測定パラメータについては、重要度が高いとみなして、保持指示情報をIdleMDTConfigurationメッセージに含めて送信する。一方、測定制御部１４１は、特定のエリア及び／又は時間以外で測定を行うように構成された測定パラメータについては、重要度が低いとみなして、保持指示情報をIdleMDTConfigurationメッセージに含めないようにする。なお、測定パラメータ、及び上記特定のエリア及び／又は時間は、例えばネットワーク通信部１２０が保守監視装置ＯＡＭから受信する情報に基づいて定められる。
【００５０】
保持指示情報は、１ビットのインジケーションとして構成できる。すなわち、測定制御部１４１は、１ビットのインジケーションとして構成された保持指示情報をIdleMDTConfigurationメッセージに含める。このような方法により、IdleMDTConfigurationメッセージをシンプルに保つ事が出来る。
【００５１】
収集制御部１４２は、無線端末ＵＥからの測定ログの収集を制御する。収集制御部１４２は、UEInformationRequestメッセージを生成する。そして、収集制御部１４２は、当該UEInformationRequestメッセージを無線端末ＵＥに送信するよう無線通信部１１０を制御する。第１実施形態において収集制御部１４２及び無線通信部１１０は、UEInformationRequestメッセージ（要求メッセージ）を送信する送信部を構成する。
【００５２】
収集制御部１４２は、UEInformationRequestメッセージに応じて無線端末ＵＥから送信（報告）されたUEInformationResponseメッセージを無線通信部１１０が受信すると、受信したUEInformationResponseメッセージに含まれる測定ログを取得する。そして、収集制御部１４２は、取得した測定ログを保守監視装置ＯＡＭに送信するようネットワーク通信部１２０を制御する。なお、収集制御部１４２は、測定ログを保守監視装置ＯＡＭに送信するケースに限らず、当該測定ログの内容を解釈し、自無線基地局ｅＮＢのパラメータ調整に使用してもよい。
【００５３】
（１．３）無線端末の構成
図３は、第１実施形態に係る無線端末ＵＥの構成を示すブロック図である。
【００５４】
図３に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００５５】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００５６】
制御部２６０は、測定処理部２６１及び測定ログ管理部２６２を有する。
【００５７】
測定処理部２６１は、接続状態において、IdleMDTConfigurationメッセージを無線通信部２１０が受信すると、受信したIdleMDTConfigurationメッセージに含まれる測定パラメータを設定（すなわち、記憶部２５０に記憶）する。
【００５８】
測定処理部２６１は、アイドル状態において、記憶部２５０に記憶された測定パラメータを解釈して、測定パラメータに従って無線環境の測定及び位置情報の取得等を行うとともに、測定結果及び位置情報等を含む測定ログを記録（すなわち、記憶部２５０に記憶）する。具体的には、測定処理部２６１は、測定対象（measurements to be logged）で指定された周波数、及び測定トリガ（triggering of logging event）で指定されたトリガでの測定を行う。また、測定処理部２６１は、測定エリア（measurements area）で指定されたセルＩＤ又はトラッキングエリアにキャンプする場合にのみ測定を行う。なお、測定エリア (measurement area)が指定されていない場合は、無線端末ＵＥは自身が位置登録可能な全ＰＬＭＮに属するセルで測定を行う。
【００５９】
測定処理部２６１は、測定パラメータの設定時に測定期間のタイマ（duration timer）を起動し、当該タイマが満了すると測定ログの記録を終了し、測定パラメータの設定を削除する。
【００６０】
測定処理部２６１は、IdleMDTConfigurationメッセージに保持指示情報が含まれる場合に、その旨を測定ログ管理部２６２に通知する。
【００６１】
測定ログ管理部２６２は、記憶部２５０に記憶された測定ログを管理する。
【００６２】
測定ログ管理部２６２は、記憶部２５０に測定ログが保持されている場合であって、アイドル状態から接続状態への移行が完了した際に、測定ログを保持していることを示すログ保持情報を、アイドル状態から接続状態への移行が完了したことを示すRRCConnectionSetupCompleteメッセージに含めて送信するよう制御する。
【００６３】
測定ログ管理部２６２は、接続状態において、UEInformationRequestメッセージを無線通信部２１０が受信すると、記憶部２５０に記憶された測定ログを取得し、取得した測定ログを含むUEInformationResponseメッセージを生成する。そして、測定ログ管理部２６２は、生成したUEInformationResponseメッセージをネットワーク（無線基地局ｅＮＢ）に送信するよう無線通信部２１０を制御する。このようにして測定ログがネットワークに報告されると、測定ログ管理部２６２は、記憶部２５０に記憶された測定ログを削除する。また、測定ログ管理部２６２は、接続状態において、新たなIdleMDTConfigurationメッセージを無線通信部２１０が受信すると、記憶部２５０に記憶された測定ログを削除する。
【００６４】
さらに、測定ログ管理部２６２は、測定期間のタイマが満了してから４８時間以内に、ネットワークへの測定ログの報告ができないケースでは、当該測定ログを削除可能である。ただし、測定ログ管理部２６２は、IdleMDTConfigurationメッセージに保持指示情報が含まれる旨を測定処理部２６１から通知されている場合には、測定期間のタイマが満了してから４８時間が経過した後においても、ネットワークへ未送信（未報告）の測定ログを保持し続けるよう制御する。
【００６５】
つまり、測定ログ管理部２６２は、IdleMDTConfigurationメッセージに保持指示情報が含まれる場合に、当該IdleMDTConfigurationメッセージにより得られた測定ログ全体を、ネットワークに報告するまで、又は、新たなＭＤＴコンフィグレーションが設定されるまで保持し続ける。
【００６６】
（１．４）無線測定収集方法
図４は、第１実施形態に係る無線測定収集方法を示すシーケンス図である。図４の初期状態では、無線端末ＵＥは、接続状態であり、無線基地局ｅＮＢとの無線通信を行っているものとする。
【００６７】
ステップＳ１０１において、保守監視装置ＯＡＭは、移動管理装置ＭＭＥの情報等を参照して、ＭＤＴに使用する無線端末ＵＥを選択し、選択した無線端末ＵＥに設定する測定パラメータを決定する。そして、保守監視装置ＯＡＭは、選択した無線端末ＵＥの情報、及び決定した測定パラメータの情報を無線基地局ｅＮＢに送信する。
【００６８】
ステップＳ１０２において、無線基地局ｅＮＢは、保守監視装置ＯＡＭから受信した情報に応じて、測定パラメータを設定するIdleMDTConfigurationメッセージを生成し、生成したIdleMDTConfigurationメッセージを無線端末ＵＥに送信する。ここで、無線基地局ｅＮＢは、測定パラメータに応じて定められる、測定ログの重要度に基づいて、保持指示情報をIdleMDTConfigurationメッセージに含める。以下の説明では、無線基地局ｅＮＢが、保持指示情報をIdleMDTConfigurationメッセージに含めて送信するケースについて説明する。
【００６９】
無線端末ＵＥは、IdleMDTConfigurationメッセージを受信すると、受信したIdleMDTConfigurationメッセージに含まれる測定パラメータを自無線端末ＵＥに設定する。また、無線端末ＵＥは、測定パラメータの設定時に、測定期間のタイマ（duration timer）を起動する。
【００７０】
ステップＳ１０３において、無線端末ＵＥは、接続状態からアイドル状態に移行する。
【００７１】
ステップＳ１０４において、無線端末ＵＥは、設定した測定パラメータに従って無線環境の測定を行うとともに、当該測定の結果を含む測定ログを記録する。
【００７２】
ステップＳ１０５において、測定期間のタイマが満了すると、ロギング（測定及び記録）を終了する。無線端末ＵＥは、測定期間のタイマが満了すると、保持時間（すなわち４８時間）のタイマを起動する。なお、保持時間内で測定ログをネットワークに報告した場合には、無線端末ＵＥは、測定ログを削除可能である。以下の説明では、無線端末ＵＥが、保持時間内で測定ログをネットワークに報告できないケースについて説明する。
【００７３】
ステップＳ１０６において、保持時間のタイマが満了する。
【００７４】
ステップＳ１０７において、無線端末ＵＥは、保持時間のタイマが満了すると、保持している測定ログを削除するか否かを決定する。具体的には、無線端末ＵＥは、ステップＳ１０２で受信したIdleMDTConfigurationメッセージに保持指示情報が含まれていた場合には、保持している測定ログを削除しないと決定する。一方、無線端末ＵＥは、ステップＳ１０２で受信したIdleMDTConfigurationメッセージに保持指示情報が含まれていない場合には、保持している測定ログを削除すると決定する。以下の説明では、無線端末ＵＥが、測定ログを削除しないと決定したものとする。
【００７５】
ステップＳ１０８において、無線端末ＵＥは、無線基地局ｅＮＢとの接続処理を行う。なお、無線端末ＵＥの接続先となる無線基地局ｅＮＢは、IdleMDTConfigurationメッセージの送信元の無線基地局ｅＮＢとは異なるものである可能性が高い。
【００７６】
ステップＳ１０９において、無線端末ＵＥは、アイドル状態から接続状態に移行する。
【００７７】
ステップＳ１１０において、無線端末ＵＥは、アイドル状態から接続状態への移行が完了したことを示すRRCConnectionSetupCompleteメッセージを無線基地局ｅＮＢに送信する。その際、無線端末ＵＥは、測定ログを保持していることを示すログ保持情報をRRCConnectionSetupCompleteメッセージに含めて送信する。
【００７８】
無線基地局ｅＮＢは、ログ保持情報を含むRRCConnectionSetupCompleteメッセージを無線端末ＵＥから受信すると、ステップＳ１１１において、無線端末ＵＥが測定ログを保持している旨の情報を保守監視装置ＯＡＭに送信する。保守監視装置ＯＡＭは、無線端末ＵＥが保持する測定ログを収集するか否かを判断する。以下の説明では、保守監視装置ＯＡＭが、無線端末ＵＥが保持する測定ログを収集すると決定したものとする。
【００７９】
ステップＳ１１２において、保守監視装置ＯＡＭは、無線端末ＵＥが保持する測定ログを収集することを指示する旨の情報を無線基地局ｅＮＢに送信する。
【００８０】
無線基地局ｅＮＢは、無線端末ＵＥが保持する測定ログを収集することを指示する旨の情報を保守監視装置ＯＡＭから受信すると、ステップＳ１１３において、UEInformationRequestメッセージを生成し、生成したUEInformationRequestメッセージを無線端末ＵＥに送信する。
【００８１】
無線端末ＵＥは、UEInformationRequestメッセージを無線基地局ｅＮＢから受信すると、ステップＳ１１４において、保持している測定ログを取得し、取得した測定ログを含むUEInformationResponseメッセージを生成し、生成したUEInformationResponseメッセージを無線基地局ｅＮＢに送信する。このようにして測定ログがネットワークに報告されると、無線端末ＵＥは、保持している測定ログを削除する。
【００８２】
無線基地局ｅＮＢは、UEInformationResponseメッセージを無線端末ＵＥから受信すると、ステップＳ１１５において、受信したUEInformationResponseメッセージに含まれる測定ログを取得し、取得した測定ログを保守監視装置ＯＡＭに送信する。
【００８３】
なお、本実施形態はロギング完了から48時間接続状態に移行しなかった場合を例として記載しているが、48時間の間に接続状態に移行したが何らかの理由でログが収集されなかった場合にも同様の手法が使用できる。
【００８４】
（１．５）第１実施形態の効果
以上説明したように、第１実施形態によれば、重要な測定ログについては、測定期間が満了してから４８時間が経過した後においても、無線端末ＵＥにおいて削除されずに保持される。このため、記録型ＭＤＴにおいて、ネットワークが重要な測定ログを収集し易くすることができる。
【００８５】
（１．６）第１実施形態の応用例
第１実施形態に係る方法では、無線端末ＵＥが測定ログを保持しなければならない時間が延長され得るため、無線端末ＵＥの負担は大きくなり得る。そこで、ネットワークは、保持指示情報を無線端末ＵＥに送信するか否かに応じて、測定パラメータを調整してもよい。
【００８６】
例えば、ネットワークは、保持指示情報を無線端末ＵＥに送信するケースでは、保持指示情報を無線端末ＵＥに送信しないケースよりも、測定エリア（measurements area）で指定するセルＩＤ数又はトラッキングエリア数を少なくする。
【００８７】
あるいは、ネットワークは、保持指示情報を無線端末ＵＥに送信するケースでは、保持指示情報を無線端末ＵＥに送信しないケースよりも、測定時間（total duration of logging）を短くする。
【００８８】
このような方法により、保持指示情報を無線端末ＵＥに送信するケースにおいて、無線端末ＵＥが保持すべき測定ログの量を少なくすることができるため、無線端末ＵＥの負担を抑制できる。
【００８９】
（２）第２実施形態
第１実施形態では、ネットワークから無線端末ＵＥへ保持指示情報を送信することで、ネットワークが重要な測定ログを収集し易くすることができる方法について説明した。第２実施形態では、無線端末ＵＥからネットワークへ測定ログの重要度を示す情報を送信することで、ネットワークが重要な測定ログを収集し易くすることができる方法について説明する。
【００９０】
第２実施形態では、第１実施形態とは異なる点を説明し、重複する説明を省略する。移動通信システム１の概略構成及び無線基地局ｅＮＢの構成は第１実施形態と同様であるため、以下において、（２．１）無線端末の構成、（２．２）無線測定収集方法、（２．３）第２実施形態の効果について説明する。
【００９１】
（２．１）無線端末の構成
図５は、第２実施形態に係る無線端末ＵＥの構成を示すブロック図である。
【００９２】
図５に示すように、第２実施形態に係る無線端末ＵＥは、制御部２６０が、重要度情報生成部２６３をさらに有する点で第１実施形態とは異なる。
【００９３】
重要度情報生成部２６３は、アイドル状態から接続状態に移行する際に、保持している測定ログの重要度を示す重要度情報を生成する。重要度とは、ネットワーク（すなわちオペレータ）にとっての重要度を意味する。重要度情報生成部２６３によって生成された重要度情報は、無線通信部２１０から無線基地局ｅＮＢに送信される。第２実施形態において重要度情報生成部２６３及び無線通信部２１０は、重要度情報をネットワークに送信する送信部を構成する。
【００９４】
重要度情報生成部２６３は、以下の何れかの基準で重要度情報を生成する。
【００９５】
・無線端末ＵＥが最後に測定を行ったときの時刻と現時刻との間の時間差（すなわち経過時間）。重要度情報生成部２６３は、最後に測定を行ったときの時刻と現時刻との間の時間差が小さいほど、重要度が高いことを示す重要度情報を生成する。一方、重要度情報生成部２６３は、最後に測定を行ったときの時刻と現時刻との間の時間差が大きいほど、重要度が低いことを示す重要度情報を生成する。これは、新しい測定ログは、よりリアルタイムの無線環境を反映しているため、ネットワーク側でのパラメータ最適化で積極的に使用すべきであり、重要度が高いためである。
【００９６】
・測定期間内での無線端末ＵＥの電源断の有無。重要度情報生成部２６３は、測定期間内での無線端末ＵＥの電源断が無い、あるいは電源断の回数が少ないほど、重要度が高いことを示す重要度情報を生成する。一方、重要度情報生成部２６３は、測定期間内での無線端末ＵＥの電源断が有る、あるいは電源断の回数が多いほど、重要度が低いことを示す重要度情報を生成する。これは、電源断が生じた無線端末ＵＥについては、飛行機等で移動したことが想定され、測定パラメータの設定時点の位置とは大きく離れた位置に対する測定ログが得られている可能性があり、重要度が低いためである。
【００９７】
・無線端末ＵＥが最後に測定を行ったときの位置と現位置との間の距離。重要度情報生成部２６３は、無線端末ＵＥが最後に測定を行ったときの位置と現位置との間の距離が小さいほど、重要度が高いことを示す重要度情報を生成する。一方、重要度情報生成部２６３は、無線端末ＵＥが最後に測定を行ったときの位置と現位置との間の距離が大きいほど、重要度が低いことを示す重要度情報を生成する。これは、無線基地局ｅＮＢ自身でパラメータ最適化を行うようなケースにおいて、測定を行った位置と報告された位置とが大きく離れている場合には、測定ログの利用価値が低く、重要度が低いためである。
【００９８】
（２．２）無線測定収集方法
図６は、第２実施形態に係る無線測定収集方法を示すシーケンス図である。図６の初期状態では、無線端末ＵＥは、接続状態であり、無線基地局ｅＮＢとの無線通信を行っているものとする。
【００９９】
ステップＳ２０１において、保守監視装置ＯＡＭは、移動管理装置ＭＭＥの情報等を参照して、ＭＤＴに使用する無線端末ＵＥを選択し、選択した無線端末ＵＥに設定する測定パラメータを決定する。そして、保守監視装置ＯＡＭは、選択した無線端末ＵＥの情報、及び決定した測定パラメータの情報を無線基地局ｅＮＢに送信する。
【０１００】
ステップＳ２０２において、無線基地局ｅＮＢは、保守監視装置ＯＡＭから受信した情報に応じて、測定パラメータを設定するIdleMDTConfigurationメッセージを生成し、生成したIdleMDTConfigurationメッセージを無線端末ＵＥに送信する。
【０１０１】
無線端末ＵＥは、IdleMDTConfigurationメッセージを受信すると、受信したIdleMDTConfigurationメッセージに含まれる測定パラメータを自無線端末ＵＥに設定する。また、無線端末ＵＥは、測定パラメータの設定時に、測定期間のタイマ（duration timer）を起動する。
【０１０２】
ステップＳ２０３において、無線端末ＵＥは、接続状態からアイドル状態に移行する。
【０１０３】
ステップＳ２０４において、無線端末ＵＥは、設定した測定パラメータに従って無線環境の測定を行うとともに、当該測定の結果を含む測定ログを記録する。無線端末ＵＥは、測定期間のタイマが満了すると、ロギング（測定及び記録）を終了する。
【０１０４】
ステップＳ２０５において、無線端末ＵＥは、無線基地局ｅＮＢとの接続処理を行う。なお、無線端末ＵＥの接続先となる無線基地局ｅＮＢは、IdleMDTConfigurationメッセージの送信元の無線基地局ｅＮＢとは異なるものである可能性が高い。
【０１０５】
ステップＳ２０６において、無線端末ＵＥは、保持している測定ログに対する重要度情報を生成する。なお、ステップＳ２０６の処理は、ステップＳ２０５の直前、又はステップＳ２０７の直後等であってもよい。
【０１０６】
ステップＳ２０７において、無線端末ＵＥは、アイドル状態から接続状態に移行する。
【０１０７】
ステップＳ２０８において、無線端末ＵＥは、アイドル状態から接続状態への移行が完了したことを示すRRCConnectionSetupCompleteメッセージを無線基地局ｅＮＢに送信する。その際、無線端末ＵＥは、測定ログを保持していることを示すログ保持情報と、ステップＳ２０６で生成した重要度情報とをRRCConnectionSetupCompleteメッセージに含めて送信する。
【０１０８】
無線基地局ｅＮＢは、ログ保持情報及び重要度情報を含むRRCConnectionSetupCompleteメッセージを無線端末ＵＥから受信すると、ステップＳ２０９において、無線端末ＵＥが測定ログを保持している旨の情報と重要度情報とを保守監視装置ＯＡＭに送信する。保守監視装置ＯＡＭは、重要度情報に応じて、無線端末ＵＥが保持する測定ログを収集するか否かを判断する。例えば、保守監視装置ＯＡＭは、重要度情報が示す重要度が所定の度合いよりも高い場合に、無線端末ＵＥが保持する測定ログを収集すると決定する。以下の説明では、保守監視装置ＯＡＭが、無線端末ＵＥが保持する測定ログを収集すると決定したものとする。
【０１０９】
ステップＳ２１０において、保守監視装置ＯＡＭは、無線端末ＵＥが保持する測定ログを収集することを指示する旨の情報を無線基地局ｅＮＢに送信する。
【０１１０】
無線基地局ｅＮＢは、無線端末ＵＥが保持する測定ログを収集することを指示する旨の情報を保守監視装置ＯＡＭから受信すると、ステップＳ２１１において、UEInformationRequestメッセージを生成し、生成したUEInformationRequestメッセージを無線端末ＵＥに送信する。
【０１１１】
無線端末ＵＥは、UEInformationRequestメッセージを無線基地局ｅＮＢから受信すると、ステップＳ２１２において、保持している測定ログを取得し、取得した測定ログを含むUEInformationResponseメッセージを生成し、生成したUEInformationResponseメッセージを無線基地局ｅＮＢに送信する。このようにして測定ログがネットワークに報告されると、無線基地局ｅＮＢは、保持している測定ログを削除する。
【０１１２】
無線基地局ｅＮＢは、UEInformationResponseメッセージを無線端末ＵＥから受信すると、ステップＳ２１３において、受信したUEInformationResponseメッセージに含まれる測定ログを取得し、取得した測定ログを保守監視装置ＯＡＭに送信する。
【０１１３】
なお、本シーケンスでは、無線端末ＵＥが保持する測定ログを収集するか否かの判断を保守監視装置ＯＡＭが行う一例を説明したが、当該判断を無線基地局ｅＮＢが行ってもよい。この場合、無線基地局ｅＮＢは、例えば、重要度情報が示す重要度が所定の度合いよりも高い場合に、無線端末ＵＥが保持する測定ログを収集すると決定する。
【０１１４】
（２．３）第２実施形態の効果
以上説明したように、第２実施形態によれば、ネットワークは、記録型ＭＤＴにおいて、重要度が高い測定ログとそうでない測定ログとを判別できるため、重要な測定ログを選択的に無線端末ＵＥから収集できる。このため、記録型ＭＤＴにおいて、ネットワークが重要な測定ログを収集し易くすることができる。
【０１１５】
（３）第３実施形態
第３実施形態では、第１実施形態及び第２実施形態を併用する方法について説明する。第３実施形態では、第１実施形態とは異なる点を説明し、重複する説明を省略する。移動通信システム１の概略構成、無線基地局ｅＮＢの構成、及び無線端末ＵＥの構成は、第２実施形態と同様であるため、以下において、第３実施形態に係る無線測定収集方法について説明する。
【０１１６】
図７は、第３実施形態に係る無線測定収集方法を示すシーケンス図である。図７の初期状態では、無線端末ＵＥは、接続状態であり、無線基地局ｅＮＢとの無線通信を行っているものとする。
【０１１７】
ステップＳ３０１において、保守監視装置ＯＡＭは、移動管理装置ＭＭＥの情報等を参照して、ＭＤＴに使用する無線端末ＵＥを選択し、選択した無線端末ＵＥに設定する測定パラメータを決定する。そして、保守監視装置ＯＡＭは、選択した無線端末ＵＥの情報、及び決定した測定パラメータの情報を無線基地局ｅＮＢに送信する。
【０１１８】
ステップＳ３０２において、無線基地局ｅＮＢは、保守監視装置ＯＡＭから受信した情報に応じて、測定パラメータを設定するIdleMDTConfigurationメッセージを生成し、生成したIdleMDTConfigurationメッセージを無線端末ＵＥに送信する。ここで、無線基地局ｅＮＢは、測定制御部１４１は、測定パラメータに応じて定められる、測定ログの重要度に基づいて、保持指示情報をIdleMDTConfigurationメッセージに含める。以下の説明では、無線基地局ｅＮＢが、保持指示情報をIdleMDTConfigurationメッセージに含めて送信するケースについて説明する。
【０１１９】
無線端末ＵＥは、IdleMDTConfigurationメッセージを受信すると、受信したIdleMDTConfigurationメッセージに含まれる測定パラメータを自無線端末ＵＥに設定する。また、無線端末ＵＥは、測定パラメータの設定時に、測定期間のタイマ（duration timer）を起動する。
【０１２０】
ステップＳ３０３において、無線端末ＵＥは、接続状態からアイドル状態に移行する。
【０１２１】
ステップＳ３０４において、無線端末ＵＥは、設定した測定パラメータに従って無線環境の測定を行うとともに、当該測定の結果を含む測定ログを記録する。
【０１２２】
ステップＳ３０５において、測定期間のタイマが満了すると、ロギング（測定及び記録）を終了する。無線端末ＵＥは、測定期間のタイマが満了すると、保持時間（すなわち４８時間）のタイマを起動する。なお、保持時間内で測定ログをネットワークに報告した場合には、無線端末ＵＥは、測定ログを削除可能である。以下の説明では、無線端末ＵＥが、保持時間内で測定ログをネットワークに報告できないケースについて説明する。
【０１２３】
ステップＳ３０６において、保持時間のタイマが満了する。
【０１２４】
ステップＳ３０７において、無線端末ＵＥは、保持時間のタイマが満了すると、保持している測定ログを削除するか否かを決定する。具体的には、無線端末ＵＥは、ステップＳ３０２で受信したIdleMDTConfigurationメッセージに保持指示情報が含まれていた場合には、保持している測定ログを削除しないと決定する。一方、無線端末ＵＥは、ステップＳ３０２で受信したIdleMDTConfigurationメッセージに保持指示情報が含まれていない場合には、保持している測定ログを削除すると決定する。以下の説明では、無線端末ＵＥが、測定ログを削除しないと決定したものとする。
【０１２５】
ステップＳ３０８において、無線端末ＵＥは、無線基地局ｅＮＢとの接続処理を行う。なお、無線端末ＵＥの接続先となる無線基地局ｅＮＢは、IdleMDTConfigurationメッセージの送信元の無線基地局ｅＮＢとは異なるものである可能性が高い。
【０１２６】
ステップＳ３０９において、無線端末ＵＥは、保持している測定ログに対する重要度情報を生成する。ここで、重要度情報を生成する際の基準は、第２実施形態で説明した３つの基準に加え、IdleMDTConfigurationメッセージに保持指示情報が含まれていたか否かを基準とすることができる。
【０１２７】
具体的には、無線端末ＵＥの重要度情報生成部２６３は、IdleMDTConfigurationメッセージに保持指示情報が含まれていた場合に、重要度が高いことを示す重要度情報を生成する。一方、重要度情報生成部２６３は、IdleMDTConfigurationメッセージに保持指示情報が含まれていない場合に、重要度が低いことを示す重要度情報を生成する。これは、保持指示情報を含むIdleMDTConfigurationメッセージは、ネットワーク（オペレータ）にとっての重要度が高いことを意味するためである。
【０１２８】
ステップＳ３１０において、無線端末ＵＥは、アイドル状態から接続状態に移行する。
【０１２９】
ステップＳ３１１において、無線端末ＵＥは、アイドル状態から接続状態への移行が完了したことを示すRRCConnectionSetupCompleteメッセージを無線基地局ｅＮＢに送信する。その際、無線端末ＵＥは、測定ログを保持していることを示すログ保持情報と、ステップＳ３０９で生成した重要度情報とをRRCConnectionSetupCompleteメッセージに含めて送信する。
【０１３０】
無線基地局ｅＮＢは、ログ保持情報及び重要度情報を含むRRCConnectionSetupCompleteメッセージを無線端末ＵＥから受信すると、ステップＳ３１２において、無線端末ＵＥが測定ログを保持している旨の情報と重要度情報とを保守監視装置ＯＡＭに送信する。保守監視装置ＯＡＭは、重要度情報に応じて、無線端末ＵＥが保持する測定ログを収集するか否かを判断する。例えば、保守監視装置ＯＡＭは、重要度情報が示す重要度が所定の度合いよりも高い場合に、無線端末ＵＥが保持する測定ログを収集すると決定する。以下の説明では、保守監視装置ＯＡＭが、無線端末ＵＥが保持する測定ログを収集すると決定したものとする。
【０１３１】
ステップＳ３１３において、保守監視装置ＯＡＭは、無線端末ＵＥが保持する測定ログを収集することを指示する旨の情報を無線基地局ｅＮＢに送信する。
【０１３２】
無線基地局ｅＮＢは、無線端末ＵＥが保持する測定ログを収集することを指示する旨の情報を保守監視装置ＯＡＭから受信すると、ステップＳ３１４において、UEInformationRequestメッセージを生成し、生成したUEInformationRequestメッセージを無線端末ＵＥに送信する。
【０１３３】
無線端末ＵＥは、UEInformationRequestメッセージを無線基地局ｅＮＢから受信すると、ステップＳ３１５において、保持している測定ログを取得し、取得した測定ログを含むUEInformationResponseメッセージを生成し、生成したUEInformationResponseメッセージを無線基地局ｅＮＢに送信する。このようにして測定ログがネットワークに報告されると、無線基地局ｅＮＢは、保持している測定ログを削除する。
【０１３４】
無線基地局ｅＮＢは、UEInformationResponseメッセージを無線端末ＵＥから受信すると、ステップＳ３１６において、受信したUEInformationResponseメッセージに含まれる測定ログを取得し、取得した測定ログを保守監視装置ＯＡＭに送信する。
【０１３５】
なお、本シーケンスでは、無線端末ＵＥが保持する測定ログを収集するか否かの判断を保守監視装置ＯＡＭが行う一例を説明したが、当該判断を無線基地局ｅＮＢが行ってもよい。この場合、無線基地局ｅＮＢは、例えば、重要度情報が示す重要度が所定の度合いよりも高い場合に、無線端末ＵＥが保持する測定ログを収集すると決定する。
【０１３６】
（４）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１３７】
（４．１）第１実施形態の変更例
上述した第１実施形態では、保持指示情報が１ビットのインジケーションであり、保持指示情報を含むIdleMDTConfigurationメッセージを受信した無線端末ＵＥは、当該IdleMDTConfigurationメッセージに従って記録された全測定ログを削除せずに保持していた。しかしながら、このような保持指示情報に代えて、無線端末ＵＥが測定ログを保持すべき条件を示す保持条件情報を使用してもよい。
【０１３８】
このようなケースでは、図４に示したシーケンスは例えば以下のように変更される。以下では、図４のシーケンスにおける変更点を説明する。
【０１３９】
ステップＳ１０２において、無線基地局ｅＮＢは、保守監視装置ＯＡＭから受信した情報に応じて、測定パラメータを設定するIdleMDTConfigurationメッセージを生成し、生成したIdleMDTConfigurationメッセージを無線端末ＵＥに送信する。また、無線基地局ｅＮＢは、特定のエリア及び／又は時間で測定を行った場合には、当該測定の結果を含む測定ログを無線端末ＵＥが保持すべき旨の保持条件情報をIdleMDTConfigurationメッセージに含めて送信する。このとき、当該測定の結果を含む一部の測定ログを保持するのか、又は全部の測定ログを保持するのかを指定してもよい。なお、上記特定のエリア及び／又は時間は、例えばネットワーク通信部１２０が保守監視装置ＯＡＭから受信する情報に基づいて定められる。
【０１４０】
ステップＳ１０７において、無線端末ＵＥは、保持時間のタイマが満了すると、保持している測定ログを削除するか否かを決定する。具体的には、無線端末ＵＥは、ステップＳ１０２で受信したIdleMDTConfigurationメッセージに含まれる保持条件情報が示す条件に合致する測定ログについては削除しないと決定する。一方、無線端末ＵＥは、ステップＳ１０２で受信したIdleMDTConfigurationメッセージに含まれる保持条件情報に合致しない測定ログについては削除すると決定する。なお、無線端末ＵＥは、条件に合致しない測定ログも削除せずに保持しておいてもよい。
【０１４１】
なお、第３実施形態についても、保持指示情報に代えて保持条件情報を使用可能である。
【０１４２】
（４．２）他の適用例
上述した各実施形態では、ＬＴＥあるいはＬＴＥ−Ａｄｖａｎｃｅｄに基づいて構成される移動通信システム１について説明したが、ＬＴＥあるいはＬＴＥ−Ａｄｖａｎｃｅｄに限らず、Ｗ−ＣＤＭＡに基づいて構成される移動通信システム等に対して本発明を適用してもよい。
【０１４３】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１４４】
Ｅ−ＵＴＲＡＮ…無線アクセスネットワーク、ＭＭＥ…移動管理装置、ＯＡＭ…保守監視装置、Ｓ−ＧＷ…ゲートウェイ装置、ＵＥ…無線端末、ｅＮＢ…無線基地局、１…移動通信システム、１０１…アンテナ、１１０…無線通信部、１２０…ネットワーク通信部、１３０…記憶部、１４０…制御部、１４１…測定制御部、１４２…収集制御部、２０１…アンテナ、２１０…無線通信部、２２０…ユーザインターフェイス部、２３０…ＧＰＳ受信機、２４０…バッテリ、２５０…記憶部、２６０…制御部、２６１…測定処理部、２６２…測定ログ管理部、２６３…重要度情報生成部
【図１】
2012044270.tif 000003
【図２】
2012044270.tif 000004
【図３】
2012044270.tif 000005
【図４】
2012044270.tif 000006
【図５】
2012044270.tif 000007
【図６】
2012044270.tif 000008
【図７】
2012044270.tif 000009